(57)【要約】      （修正有）【課題】コネクタジャックにケーブルを挿抜する時、コネクタジャック保護カバーが挿抜動作を阻害しない基板に実装されたコネクタジャックの補強構造を提供する。【解決手段】回路パターンが配線された基板９と、基板９に実装されたコネクタジャック１０ａと、筐体１０ａ１の実装面と対向する面１０ａ１１に当接するコネクタジャック補強部材１３と、コネクタジャック１０ａを外部に露出するための第一の孔５ｂを有する外装部材５と、外装部材５に設けられた第一の孔５ｂを覆うことで、コネクタジャック１０ａを保護するコネクタジャック保護カバー６と、を有し、コネクタジャック保護カバー６は、コネクタジャック１０ａを保護した状態から所定の角度まで回転移動した位置から、並進移動させてコネクタジャック保護カバー６を固定状態とし、固定状態において、コネクタジャック保護カバー６の突起部６ｂとコネクタジャック補強部材１３とが当接する。【選択図】図８（ｄ）
2015096897.tif 000002
【特許請求の範囲】
【請求項１】
回路パターンが配線された基板（９）と、
前記基板に実装された少なくとも1つのコネクタジャック（１０ａ）と、
コネクタジャック（１０ａ）の筐体（１０ａ１）の実装面と対向する面（１０ａ１１）に当接するコネクタジャック補強部材（１３）と、
前記コネクタジャック（１０ａ）を外部に露出するための第一の孔（５ｂ）を有する外装部材（５）と、
前記外装部材（５）に取り付けられ、前記外装部材（５）に設けられた前記第一の孔（５ｂ）を覆うことで、前記コネクタジャック（１０ａ）を保護するコネクタジャック保護カバー（６）とを有し、
前記コネクタジャック保護カバー（６）は、前記コネクタジャック（１０ａ）を保護した状態から所定の角度まで回転移動し、
前記所定の角度の位置から、並進移動し、
前記並進移動した状態で、前記コネクタジャック保護カバー（６）が固定状態となり、
前記固定状態において、前記コネクタジャック保護カバー（６）に設けられた突起部（６ｂ）と前記コネクタジャック補強部材（１３）とが当接することを特徴とする電子機器。
【請求項２】
前記コネクタジャック保護カバー（６）は前記回転移動のための回転軸である軸（８）を有し、
前記軸（８）はケーブル挿入方向に垂直であることを特徴とする請求項１に記載の電子機器。
【請求項３】
前記軸（８）は前記固定状態で、
前記基板（９）の実装面に対して法線方向の動きが規制されることを特徴とする請求項１又は請求項２に記載の電子機器。
【請求項４】
前記コネクタジャック保護カバー（６）の前記軸（８）が前記固定状態において、
前記コネクタジャック保護カバー（６）の突起部（６ｂ）は、前記コネクタジャック保護カバー（６）が固定状態となる前よりも基板９の実装面に対して法線方向において、コネクタジャック補強部材（１３）に近づくことを特徴とする請求項１乃至請求項３の何れか１項に記載の電子機器。
【請求項５】
前記コネクタジャック保護カバー（６）は、前記コネクタジャック保護カバー（６）の前記軸（８）がガイド（５ａ）に沿って動くことにより、並進移動を行うことを特徴とする請求項１乃至請求項４の何れか１項に記載の電子機器。
【請求項６】
前記突起部（６ｂ）の一部の形状は、前記軸（８）と同心円で構成されることを特徴とする請求項１乃至請求項５の何れか１項に記載の電子機器。
【請求項７】
前記固定状態を保つための機構が、腕部（５ａ２）のたわみにより、前記基板９の実装面に対して法線方向に移動する爪部（５ａ１）によって構成されることを特徴とする請求項１乃至請求項６の何れか１項に記載の電子機器。
【請求項８】
前記突起部（６ｂ）が、前記コネクタジャック補強部材（１３）におけるカバー接触面（１３ｇ）のケーブル挿抜方向の中央（１３ｊ）で当接することを特徴とする請求項１乃至請求項７の何れか１項に記載の電子機器。
【発明の詳細な説明】
【技術分野】
【０００１】
本発明は、コネクタジャックを有する電子機器に関し、特に基板に実装されたコネクタジャックの補強構造に関する。
【背景技術】
【０００２】
従来、コネクタジャックを基板に実装するにあたり、コネクタジャックを基板の表面に半田付けする方法やコネクタジャックの一部を基板のスルーホールに挿入して半田付けする方法が採用されている。これらの構成においては、ケーブルの抜き挿しの繰り返しやコジリによって、半田が割れるなどして通信不良が発生することがあった。特に、近年小型化が進んでいるデジタルカメラなどの携帯型の電子機器に使用されるコネクタジャックは半田付けの面積が小さくなることが多く、通信不良が発生しやすい。
【０００３】
そこで、基板に実装されたコネクタジャックを補強する提案が行われている。
【０００４】
特許文献１では、コネクタジャックの補強構成において、コネクタジャックとは別体の補強部材を有し、補強部材はコネクタジャックを保持すると同時に、基板を保持する筐体と当接することで、コネクタジャックを補強する構成が開示されている。
【０００５】
また、特許文献２では、コネクタジャックの補強構成において、コネクタジャックとは別体の補強部材とコネクタジャックを保護するコネクタジャック保護カバーとを有し、補強部材はコネクタジャックを保持し、コネクタジャック保護カバーを開いた際に補強部材と基板を保持する筐体とが当接することで、コネクタジャックを補強する構成が開示されている。
【先行技術文献】
【特許文献】
【０００６】
【特許文献１】特開2012-146594号公報
【特許文献２】特開2012-146593号公報
【発明の概要】
【発明が解決しようとする課題】
【０００７】
しかしながら、特許文献１に開示された従来技術では、補強部材により常に基板やはんだ等に負荷が加わる構成となっているため、クリープ破壊の懸念がある。また、電子機器の落下による応力や熱による応力等、他の応力との組み合わせによる破壊も懸念される。
【０００８】
特許文献２で言及される構成では、コネクタジャック保護カバーの開閉動作がコネクタジャックのケーブル挿抜方向と平行な方向の並進移動によってのみ行われる。この構成は、ケーブルをコネクタジャックに挿入する際、開いた状態のコネクタジャック保護カバーがケーブルの挿抜動作を阻害する懸念がある。また、コネクタジャック保護カバーと基板を保持する部材や補強部材との間の摩擦抵抗により、コネクタジャック保護カバーの開閉動作が阻害されることも懸念される。さらに、コネクタジャック保護カバーと補強部材が狙った位置で接触せず所望の補強効果が得られないという懸念もある。
【０００９】
そこで本発明の目的は、コネクタジャック保護カバーの円滑な開閉動作を維持したままに、コネクタジャック使用時に限り基板に実装されたコネクタジャックを所望の強度まで補強できるコネクタジャックの補強構造を提供することである。同時に、本発明では、コネクタジャックにケーブルを挿抜する時、コネクタジャック保護カバーがケーブルの挿抜動作を阻害せず、円滑なケーブル挿抜作業が可能となる構造とすることも目的とする。
【課題を解決するための手段】
【００１０】
上記目的を達成するために、本発明は、
回路パターンが配線された基板（９）と、
前記基板に実装された少なくとも1つのコネクタジャック（１０ａ）と、
コネクタジャック（１０ａ）の筐体（１０ａ１）の実装面と対向する面（１０ａ１１）に当接するコネクタジャック補強部材（１３）と、
前記コネクタジャック（１０ａ）を外部に露出するための第一の孔（５ｂ）を有する外装部材（５）と、
前記外装部材（５）に取り付けられ、前記外装部材（５）に設けられた前記第一の孔（５ｂ）を覆うことで、前記コネクタジャック（１０ａ）を保護するコネクタジャック保護カバー（６）とを有し、
前記コネクタジャック保護カバー（６）は、前記コネクタジャック（１０ａ）を保護した状態から所定の角度まで回転移動し、
前記所定の角度の位置から、並進移動し、
前記並進移動した状態で、前記コネクタジャック保護カバー（６）が固定状態となり、
前記固定状態において、前記コネクタジャック保護カバー（６）に設けられた突起部（６ｂ）と前記コネクタジャック補強部材（１３）とが当接する
ことを特徴とする。
【発明の効果】
【００１１】
本発明によれば、コネクタジャックを有する電子機器において、コネクタジャック保護カバーの円滑な開閉動作を維持したままに、コネクタジャック使用時に限り基板に実装されたコネクタジャックを所望の強度まで補強できるコネクタジャックの補強構造を提供することが可能となる。また、本発明の構成では、コネクタジャック保護カバーがケーブルの挿抜動作を阻害しないため、円滑なケーブル挿抜作業も可能となる。
【図面の簡単な説明】
【００１２】
【図１】（ａ）  本発明におけるデジタルカメラを前方（被写体側）から見た外観斜視図（ｂ）  本発明におけるデジタルカメラを後方（撮影者側）から見た外観斜視図
【図２】本発明におけるデジタルカメラの分解斜視図
【図３】本発明におけるデジタルカメラのコネクタジャック補強部材の取り付け構成図
【図４】（ａ）  本発明におけるデジタルカメラの基板の要部拡大斜視図（ｂ）  本発明におけるデジタルカメラの基板の要部拡大正面図
【図５】（ａ）、（ｂ）  本発明の実施形態を示したコネクタジャック補強部材の斜視図
【図６】本発明におけるデジタルカメラの外部インターフェースコネクタジャック保護カバーの開いた状態を後方（撮影者側）から見た外観斜視図
【図７】本発明におけるデジタルカメラの外部インターフェースコネクタジャック保護カバーを開いた状態での要部拡大右側面図
【図８（ａ）】本発明におけるデジタルカメラの外部インターフェースコネクタジャック保護カバーの各開閉状態においての図７の断面線Ａ−Ａおよび断面線Ｂ−Ｂでの水平断面図
【図８（ｂ）】本発明におけるデジタルカメラの外部インターフェースコネクタジャック保護カバーの各開閉状態においての図７の断面線Ａ−Ａおよび断面線Ｂ−Ｂでの水平断面図
【図８（ｃ）】本発明におけるデジタルカメラの外部インターフェースコネクタジャック保護カバーの各開閉状態においての図７の断面線Ａ−Ａおよび断面線Ｂ−Ｂでの水平断面図
【図８（ｄ）】本発明におけるデジタルカメラの外部インターフェースコネクタジャック保護カバーの各開閉状態においての図７の断面線Ａ−Ａおよび断面線Ｂ−Ｂでの水平断面図
【発明を実施するための形態】
【００１３】
以下に、図１から図８を用いて、本発明の電子機器の一実施形態であるデジタルカメラを説明する。
【００１４】
図１（ａ）は本実施例のデジタルカメラを前方（被写体側）から見た外観斜視図である。また、図１（ｂ）は本実施例のデジタルカメラを後方（撮影者側）から見た外観斜視図である。
【００１５】
１はデジタルカメラ本体であり、デジタルカメラ本体１の外装は、前カバー２、上カバー３、背面カバー４、サイドカバー５、外部インターフェースコネクタジャック保護カバー６、周辺機器用コネクタジャック保護カバー７で構成されている。
【００１６】
図２は、デジタルカメラ１の分解斜視図である。図２において、４ａは背面カバーユニットである。９は基板、１０は外部インターフェースコネクタジャック、１１は周辺機器用コネクタジャックである。外部インターフェースコネクタジャック１０は、カメラを外部機器と接続するためのコネクタジャックであり、基板９に実装されている。本実施例では、ＵＳＢ  Ｍｉｎｉ−ＢおよびＨＤＭＩ（登録商標）  ＴｙｐｅＣのコネクタジャックである。周辺機器用コネクタジャック１１は、カメラの周辺機器を接続するためのコネクタジャックであり、基板９に実装されている。本実施例では、マイクおよびリモートコントローラーコネクタジャックである。
【００１７】
外部インターフェースコネクタジャック保護カバー６と周辺機器用コネクタジャック保護カバー７は、サイドカバー５に取り付けられ、それぞれ外部インターフェースコネクタジャック１０、周辺機器用コネクタジャック１１を保護している。特に外部インターフェースコネクタジャック保護カバー６は、軸部材８が外部インターフェースコネクタジャック保護カバー６の孔部６ａとサイドカバー５のガイド５ａに挿入されることによって、サイドカバー５に取り付けられる。また、サイドカバー５は、外部インターフェースコネクタジャック１０を外部に露出するための第一の孔５ｂを有し、不図示のインターフェースケーブルが挿抜可能である。
【００１８】
１２はシャーシであり、シャーシ１２は金属で形成されており、デジタルカメラ本体１の骨格の一部をなし、基板９を固定する。シャーシ１２は不図示のグランドに接続されている。１３はコネクタジャックの補強部材であり、コネクタジャック補強部材１３は金属で形成されている。
【００１９】
図３は、コネクタジャック補強部材１３の取り付け構成である。
【００２０】
図３に示すように、コネクタジャック補強部材１３は、孔部１３ａ、１３ｂをそれぞれＵＳＢ  Ｍｉｎｉ−Ｂコネクタジャック１０ａおよびＨＤＭＩ  ＴｙｐｅＣコネクタジャック１０ｂに係合させ、その後、不図示のネジにより孔部１３ｃで、基板９と共にシャーシ１２に固定される。また、コネクタジャック補強部材１３は、孔部１３ｅでも、サイドカバー５と共に不図示のネジでシャーシ１２に固定される。
【００２１】
図４（ａ）は、図３の基板９の要部斜視図である。図４（ａ）に示すように、基板９には、ＵＳＢ  Ｍｉｎｉ−Ｂコネクタジャック１０ａおよびＨＤＭＩ  ＴｙｐｅＣコネクタジャック１０ｂが実装されている。図４（ｂ）は、図４（ａ）を外部インターフェースコネクタジャック１０実装面側から見た基板９の詳細図である。
【００２２】
ＨＤＭＩ  ＴｙｐｅＣコネクタジャック１０ｂは、ＨＤＭＩケーブルが挿入される角型の筐体１０ｂ１を有しており、筐体１０ｂ１の底面が基板９上に載置され、基板９の不図示の信号パターン上に半田付けされることによって表面実装されている。また、筐体１０ｂ１には補強のため４つの脚部１０ｂ２が形成されており、基板９のスルーホールに挿入され、半田付けされている。したがって、ＨＤＭＩ  ＴｙｐｅＣコネクタジャック１０ｂは、ケーブルの抜き挿しやコジリに対して比較的信頼性の高い固定がなされている。
【００２３】
一方、ＵＳＢ  Ｍｉｎｉ−Ｂコネクタジャック１０ａは、ＵＳＢケーブルが挿入される角形の筐体１０ａ１を有しており、筐体１０ａ１の一部が基板９の切り欠きに嵌まるように載置されている。そして、ＵＳＢ  ＭｉＮｉ−Ｂコネクタジャック１０ａは、基板９の信号線等の不図示のパターン上に半田付けされることによって表面実装されている。ここで、ＵＳＢ  Ｍｉｎｉ−Ｂコネクタジャック１０ａは、ＨＤＭＩ  ＴｙｐｅＣコネクタジャック１０ｂよりも背の高い部品であるため、基板９を切り欠いて載置されており、基板９で支えられることがない。
【００２４】
また、筐体１０ａ１に補強のため形成された脚部１０ａ２が基板９の半田付け部９ａに半田付けされ、脚部１０ａ３が基板９のスルーホールに挿入される構成のため、ＨＤＭＩ  ＴｙｐｅＣコネクタジャック１０ｂよりも強度の弱い構成となっている。したがって、ＵＳＢＭｉｎｉ−Ｂコネクタジャック１０ａの強度は、パターンの半田強度に依存し、ケーブルの抜き挿しの繰り返しやコジリによって基板９から外れる可能性が比較的高い。
【００２５】
図５（ａ）と図５（ｂ）は、コネクタジャック補強部材１３の斜視図である。
【００２６】
図５（ａ）と図５（ｂ）に示すように、コネクタジャック補強部材１３は基板９に実装されたＵＳＢ  Ｍｉｎｉ−Ｂコネクタジャック１０ａおよびＨＤＭＩ  ＴｙｐｅＣコネクタジャック１０ｂの筐体１０ａ１と１０ｂ１の上面と、基板９の実装裏面とを覆うようにコの字形状が形成されている。このような構成とすることにより、基板９に実装された外部インターフェースコネクタジャックの強度を補強する。また、開口面１３ｄに外部インターフェースコネクタジャック１０の角型の筐体１０ａ１と１０ｂ１の口元に係合する孔部１３ａと１３ｂが形成されている。また、基板９とともにシャーシ１２に固定するための孔部１３ｃ及びサイドカバー５とともにシャーシ１２に固定するための孔部１３ｅが形成されている。コネクタジャック補強部材１３は、孔部１３ｃで基板９とともにシャーシ１２に固定することによって、基板９とコネクタジャック補強部材１３の固定面１３ｉとが当接し、不図示のグランドに接続する。
【００２７】
図６はデジタルカメラ１を後方（撮影者側）から見た外観斜視図であり、外部インターフェースコネクタジャック保護カバー６が開いた状態を示している。外部インターフェースコネクタジャック保護カバー６を開くことによって、基板９に実装されたＵＳＢ  ＭｉＮｉ−Ｂコネクタジャック１０ａおよびＨＤＭＩ  ＴｙｐｅＣコネクタジャック１０ｂに不図示のインターフェースケーブルを挿入可能な状態となる。ＵＳＢ  Ｍｉｎｉ−Ｂコネクタジャック１０ａにはＵＳＢケーブルを挿入し、ＵＳＢコネクタジャックを有するパーソナルコンピュータ等との通信に使用される。
【００２８】
また、ＨＤＭＩ  ＴｙｐｅＣコネクタジャック１０ｂにＨＤＭＩケーブルを挿入し、ＨＤＭＩコネクタジャックを有するデジタルテレビ等に接続することで、映像／音声信号をデジタルテレビへと送信することができる。
【００２９】
図７はデジタルカメラ１の外部インターフェースコネクタジャック１０搭載側の要部側面図であり、図６と同様に、外部インターフェースコネクタジャック保護カバー６が開いた状態を示している。
【００３０】
図８（ａ）〜（ｄ）は、図７の断面線Ａ−Ａおよび断面線Ｂ−Ｂでの水平断面図である。図８（ａ）〜（ｄ）では、本発明における要部のみを図示し、その他の要素は省いている。図８（ａ）は外部インターフェースコネクタジャック保護カバー６が閉じた状態、図８（ｄ）は外部インターフェースコネクタジャック保護カバー６が開いた状態を示し、図８（ｂ）、（ｃ）は図８（ａ）から（ｄ）への遷移途中の状態を示している。図８（ａ）の外部インターフェースコネクタジャック保護カバー６を閉じた状態では、外部インターフェースコネクタジャック保護カバー６が各外部インターフェースコネクタジャック１０を覆うことにより各外部インターフェースコネクタジャック１０の内部に塵や埃が侵入することを防止している。また図８（ｄ）に示す外部インターフェースコネクタジャック保護カバー６が開いた状態では、各外部インターフェースコネクタジャック１０にそれぞれ対応した不図示のインターフェースケーブルが挿入できる状態となる。
【００３１】
以下、図８（ａ）〜（ｄ）のＡ−Ａ断面図を用いて、外部インターフェースコネクタジャック保護カバー６の開閉動作について説明する。
【００３２】
外部インターフェースコネクタジャック保護カバー６は、軸部材８を中心に回転可能である。また、軸部材８は、サイドカバー５のガイド５ａに沿って軸部材８の中心軸に垂直な面方向に移動可能であり、軸部材８の移動にともない、外部インターフェースコネクタジャック保護カバー６も一体に移動する。図８（ａ）の状態から図８（ｄ）の状態にするために、まず外部インターフェースコネクタジャック保護カバー６を図中時計回り方向に所定の角度θまで回転させる。本実施例では所定の角度θを９０°とした。この時、軸部材８は移動しない。この状態が図８（ｂ）である。
【００３３】
次に、外部インターフェースコネクタジャック１０に対してインターフェースケーブルを挿入する方向と平行な方向である図中右方向に、軸部材８がサイドカバー５のガイド５ａに沿って並進移動し、サイドカバーに設けられた第２の孔５ｃを通過する。この軸部材８の移動にともない、外部インターフェースコネクタジャック保護カバー６も一体に移動する。軸部材８はガイド５ａの爪部５ａ１に当接することより、いったん停止する。この状態が図８（ｃ）である。
【００３４】
図８（ｃ）の状態から、さらに図中右方向に軸部材８を移動させるための力を加えると、ガイド５ａの腕部５ａ２がたわむことにより、爪部５ａ１が図中下方向に押し下げられる。さらに力を加えると、軸部材８が爪部５ａ１を乗り越えて、ガイド５ａの保持部５ａ３に移動し、固定状態となる。この状態で、軸部材８は、基板９の実装面に対して法線方向の動きが保持部５ａ３により規制される。このようなロック機構を設けることにより、外部インターフェースコネクタジャック保護カバー６が開いた状態での軸部材８の位置を一定に保つことが可能となる。また、爪部を乗り越える際の反力が使用者に伝わることにより、使用者に外部インターフェースコネクタジャック保護カバー６が開いた状態へと移行したことを明確に伝えることが可能となる。また、使用者が外部インターフェースコネクタジャック保護カバー６に不用意に触れた場合にも、容易に外部インターフェースコネクタジャック保護カバー６は移動しない。
【００３５】
図８（ａ）〜（ｄ）のＢ−Ｂ断面図に示すように、コネクタジャック補強部材１５は、コネクタジャック押さえ面１３ｆがＵＳＢ  Ｍｉｎｉ−Ｂコネクタジャック１０ａの筐体１０ａ１の一面１０ａ１１と当接し、基板９に実装されたＵＳＢ  ＭｉＮｉ−Ｂコネクタジャック１０ａを補強すると共に、ＵＳＢ  Ｍｉｎｉ−Ｂコネクタジャック１０ａの筐体１０ａ１を不図示のグランドに接続している。これによって、電磁妨害に対する耐性が向上する。また、ＵＳＢ  ＭｉＮｉ−Ｂコネクタジャック１０ａは、脚部１０ａ２の内２つが、半田付け部９ａにはんだ付けされることで固定されており、この部分の強度が比較的弱い。そのため、コネクタジャック補強部材１３のコネクタジャック押さえ面１３ｆは、この半田付け部９ａを抑えるように、半田付け部９ａを基板９の実装面の法線方向に投影した面上に配置されている。
【００３６】
外部インターフェースコネクタジャック保護カバー６には突起部６ｂが設けられている。突起部６ｂは、図８（ｄ）に示した状態でコネクタジャック補強部材１３のカバー接触面１３ｇに当接する。保持部５ａ３は、軸部材８の基板９の実装面に対して法線方向の動きを規制しているため、外部インターフェースコネクタジャック保護カバー６に加わる基板９の実装面に対して法線方向の力を、軸部材８を介して受けることとなる。このような構成とすることによって、主に不図示のインターフェースケーブルから基板９の実装面に対して法線方向の力が加わった場合の基板９に実装されたＵＳＢ  Ｍｉｎｉ−Ｂコネクタジャック１０ａの強度を向上することが可能となる。また、このＵＳＢ  ＭｉＮｉ−Ｂコネクタジャック１０ａの強度を向上させるための力は、外部インターフェースコネクタジャック保護カバー６が開いた状態でのみ加わるため、クリープ破壊や電子機器の落下による応力や熱による応力等、他の応力との組み合わせによる破壊の懸念が少ない。
【００３７】
本実施例では、突起部６ｂの形状の一部が、孔部６ａと同心円になっている。外部インターフェースコネクタジャック保護カバー６は図８（ｄ）の状態において、軸部材８の並進移動が保持部５ａ３で規制されているが、外部インターフェースコネクタジャック保護カバー６の軸部材８を回転軸とする回転は規制されていない。しかし、回転が規制されていなくとも、この突起部６ｂの同心円部分がカバー接触面１３ｇと当接する一定の角度内においては、当接状態を一定に保つことが可能となる。
【００３８】
ガイド５ａには逃げ形状５ａ４が設けられ、軸部材８は、図８（ｃ）の状態から図８（ｄ）の状態に遷移するにあたって、一旦コネクタジャック補強部材１３から離れる方向である、図中上方向に移動した後、コネクタジャック補強部材１３に近づく方向である、図中下方向に移動し、保持部５ａ３に当接する。同様に図８（ｄ）の状態から図８（ｃ）の状態に遷移するにあたっても、軸部材８は一旦、コネクタジャック補強部材１３から基板９の実装面の法線方向で離れる方向である図中上方向に移動した後、基板９の実装面の法線方向でコネクタジャック補強部材１３に近づく方向である、図中下方向に移動することで保持部５ａ３から離れる。
【００３９】
ここで、保持部５ａ３での軸部材８の位置は、図８（ｄ）の状態にある時に、基板９の実装面の法線方向でコネクタジャック補強部材１３に最も近くなる。この構成とすることによって、外部インターフェースコネクタジャック保護カバー６も同様に、図８（ｄ）の状態で、基板９の実装面の法線方向でコネクタジャック補強部材１３に最も近づくこととなる。このため、外部インターフェースコネクタジャック保護カバー６は、図８（ｄ）の状態になった時のみコネクタジャック補強部材１３に突起部６ｂが当接し、この前後ではコネクタジャック補強部材１３に突起部６ｂは当接しない。
【００４０】
このような構成とすることにより、図８（ａ）の状態から図８（ｄ）の状態、図８（ｄ）の状態から図８（ａ）の状態に遷移する動作を行う際、外部インターフェースコネクタジャック保護カバー６とコネクタジャック補強部材１３との間の摩擦力により、この動作が阻害されることを防止する。よって、外部インターフェースコネクタジャック保護カバー６の動作を円滑に行うことが可能となる。
【００４１】
突起部６ｂとカバー接触面１３ｇが当接する位置は、カバー接触面１３ｇのケーブル挿抜方向の中央１３ｊであることが好適である。各部品の形状は、ある一定のばらつきを有する。また、外部インターフェースコネクタジャック保護カバー６が開いた状態の時の外部インターフェースコネクタジャック保護カバー６の位置も保持部５ａ３と軸部材８の直径の寸法差の分だけ位置ずれが発生する。これらの要因により、突起部６ｂとカバー接触面１３ｇの当接状態は、ある一定のばらつきを有する。突起部６ｂとカバー接触面１３ｇが当接する位置がコネクタジャック補強部材１３の開口面１３ｄや曲げ部１３ｈに近すぎると、このばらつきによって、外部インターフェースコネクタジャックを固定するための力の大きさが大きく変化し、所望の大きさの力が得られない懸念がある。
【００４２】
しかし、突起部６ｂとカバー接触面１３ｇが当接する位置を、カバー接触面１３ｇのケーブル挿抜方向の中央１３ｊとすることによって、当接状態のばらつきの影響を少なく抑えることが可能となる。
【００４３】
なお、本実施の形態では、ＵＳＢ  Ｍｉｎｉ−Ｂコネクタジャック１０ａの補強構造について説明したが、ＨＤＭＩ  ＴｙｐｅＣコネクタジャック１０ｂやその他ジャックの補強に同様の構成を適用しても構わない。
【００４４】
また、デジタルカメラのコネクタジャックに限定して説明したが、デジタルカメラに限定されるものではなく、その他電子機器のコネクタジャックに同様の構成を適用しても構わない。構成部品の寸法、材質、形状、その相対配置などは、特に特定的な記載がない限りはこの発明の範囲をそれのみに限定する趣旨ではなく、要旨の範囲内で様々な変形および変更が可能である。
【符号の説明】
【００４５】
１  デジタルカメラ本体
２  前カバー
３  上カバー
４  背面カバー
５  サイドカバー
６  外部インターフェースコネクタジャック保護カバー
７  周辺機器用コネクタジャック保護カバー
９  基板
１０  外部インターフェースコネクタジャック
１１  周辺機器用コネクタジャック
１３  コネクタジャックの補強部材
【図１】
2015096897.tif 000003
【図２】
2015096897.tif 000004
【図３】
2015096897.tif 000005
【図４】
2015096897.tif 000006
【図５】
2015096897.tif 000007
【図６】
2015096897.tif 000008
【図７】
2015096897.tif 000009
【図８（ａ）】
2015096897.tif 000010
【図８（ｂ）】
2015096897.tif 000011
【図８（ｃ）】
2015096897.tif 000012
【図８（ｄ）】
2015096897.tif 000013